(57)【要約】      （修正有）【課題】シリンダ錠はピッキングを防ぐことは難しい。そこで錠を開くことを困難にするためにピン数を増やすと故障のとき大変である。また電子式にするとピッキングには強いが電池切れなどの故障があり完璧ではない。機械で構造が簡単でピッキングしにくいシリンダ錠を提供する。【解決手段】鍵穴６を塞ぐ板１を設け、キー２を差し込み、キー２を出し入れすることによるスローピン３をシアラインの外に動かす。スローピン３はキー２を差し込んだのち３秒ぐらいでシアラインにかかり、再度ロックがかかる構造であり、短時間でのピッキングを防止する。【選択図】図１
2017133340.tif 000002
【特許請求の範囲】
【請求項１】
鍵穴（６）に鍵穴をふさぐ板（１）を取り付け、キー（２）の出し入れで鍵穴をふさぐ板（１）が動き、そのエネルギー（４）でスローピン（３）にエネルギー（５）を与え、スローピン（３）が動き、錠をキーで開ける数秒間が過ぎるとスローピン（２）がシアライン（１０）にかかり、ロックされる構造にするピッキング不キャン錠。
【請求項２】
鍵穴をふさぐ板（１）の先端分（１２）はピン（１１）の動きを妨げない鉾のような形にする必要があるピッキング不キャン錠。
【発明の詳細な説明】
【技術分野】
【０００１】  この発明は錠の不正解除、ピッキング防止に関するものである。
【背景技術】
【０００２】  従来のシリンダ錠はピッキングを防ぐことは難しい。そこで錠を開くことを困難にするためにピン数を増やすと故障のとき大変である。また電子式にするとピッキングには強いが電池切れなどの故障があり完璧ではない。機械のみでなるべく簡単でピッキングしにくい錠を作る必要がある。
【発明が解決しようとする課題】
【０００３】  錠のピッキングは数秒では不可能で最低３０秒以上ぐらい必要といわれる。私たちがドアなどの錠をキーで開けるのには３秒もいらない。
ドアの錠等を不正に開くピッキングンは道具を入れピンを探らねばならず、３秒ぐらいで開くことはできない。錠を開くのにキーを入れ３秒ぐらいでロックがかかる錠が必要である。
しかし、錠の中にピッキング道具を差し込まれたままでは、何回もピッキングに挑戦されてしまい時間さえあれば開いてしまう。
そこで再挑戦の場合はピッキング道具を一度抜いてから、再度キーの入口から道具を入れ、また３秒ぐらいで錠を開ける作業をしなければならい。３秒ぐらいでは何回ピッキングをやっても錠を開けることは不可能に近い。
【発明が解決しようとする課題】
【０００４】  本案は、錠にキーを出し入れするときのエネルギーを利用するものである。鍵穴をふさぐ板が動くエネルギーをスローピンに伝えキーを差し込むとスローピンが動き始める。
ただし、本案のゆっくり動き３秒ぐらいでロックをかけるピンをスローピンとする。
錠にキーをさして３秒ぐらいの時間が過ぎるとスローピンがシアラインを超えロックを掛ける装置である。ロックがかかるとキーを抜き、再度キーを鍵穴をふさぐ板に入れエネルギーを加える必要がある構造にする。
錠のキーの入り口を板で塞ぎ、キーを差し込むと、鍵穴をふさぐ板が奥のバネにエネルギーを貯める。差し込まれたたときスローピンが動き３秒ぐらいでシアラインに掛かり錠にロックをかけるものである。キーを抜くとスローピンは戻り、ロックが外れスローピンにエネルギーが貯まりもとに戻る。
この繰り返しならば、侵入者はピッキング道具を鍵穴から鍵穴をふさぐ板を奥まで差し込み３秒以内にピッキング装置を差し入れピンを探る。道具で開く位置を調べ錠を開くという動作をしなければならない。失敗すれば再度、道具を抜き最初から３秒ぐらいで再挑戦しなければならない。
スローピンにエネルギーを伝える方法は本図で示した斜面でも、梃子でも、バネとストッパを使ってもよい。スローピンにエネルギーが伝える方法はいろいろ考えられる。
また、スローピンは時間がかかって動く構造ならいろんなものが考案できる。たとえば、空気ダンパー、オイルダンパーやショックアブソーバー、トルクダンパー、ロータリーダンパーなどのゆっくり動くものである。また、時計のガンギ車やねじのように螺旋形の斜面滑るもの、弾み車で動くもの、ゼンマイ時計利用のピンなど機械的にゆっくり移動するものであればよい。
ところで、スローピンの位置はピッキングの道具が入り込めない位置で力学的エネルギーが伝わりロックがかかれば、どの位置でもどの方向、どんな長さや大きさでもよい。
【発明の概要】
【課題を解決するための手段】
【０００５】請請求項目１  キー（２）を鍵穴をふさぐ板（１）に押し込みエネルギー（４）をバネ（９）に弾性エネルギーとして蓄える。この弾性エネルギーはスローピン（３）を作動するエネルギー（５）に使う。スローピン（３）は動きが遅く３秒ぐらい過ぎるとシアライン（１０）を通過し内筒（７）に掛かり錠にロックをかける。３秒以内でキー（２）を回転させなければスローピン（３）が動きロックが働く構造である。
鍵穴をふさぐ板（１）からエネルギーを発しスローピン（３）を動かすエネルギーの組み合である。
請求項目２  鍵穴をふさぐ（１）の先端（１２）はピン（１１）の動きを妨げないようにするためキー（２）のように鉾の形にする必要がある。
【発明の効果】
【００６】  （ア）錠の中のピン数を何十本と多くしたものや、電子部品を利用した錠より構造が簡単である。
（イ）錠の構造はキーをふさぐ板とスローピンの部分などが増えたのみで、他は変わらず、構造が簡単でメンテナンスもしやすい。
（ウ）スローピンをゼンマイ時計を利用したタイマーピンにすることで３秒でロックされ、戻るのに５分かかるような構造もできる。
この構造にすると、侵入者は３秒のピッキングに失敗すると５分間何もできない状態になり諦めることになる。
（エ）錠の中のスローピンはキーの形状とは無関係で、どの錠でも同じ構造で使用でき、応用は車、ドアー、金庫などの錠に使える。
（オ）侵入者が構造を知っていても、スローピンの位置がピッキング道具が入らない位置であるため錠に手が出ない。
【発明を実施するための形態】
【００７】  キーを鍵穴に差し込み、キーを差し込んでから３秒以内で内筒を回転させ錠を開くのが正しい開きかである。
錠が開けばキーをもとに回転させ内筒が戻り、キーを抜くとスローピンは元の位置に戻る。
しかし侵入者はキーの代わりにいろいろな道具で鍵穴をふさぐ板を押し込み、シリンダーの中のピンを攻略し始める。この間ピッキング道具でさぐるのに３０秒ぐらいかかる。その間にスローピンがシアラインを通過しロックがかかり内筒を固定してしまう。
するとシリンダーの中のピンはピッキング道具でシアラインが探れなくなる。再度、挑戦するには道具を全部抜き、始めから３秒ぐらいでシリンダーピンを開けない限り錠は開かない。
しかも、鍵穴をふさぐ板が邪魔になりピッキング道具からスローピンは保護されているので触ることができない。
【実施例１】図１の鍵穴（６）にキー（２）を差し込む。差し込むとき板鍵穴をふさぐ板（１）が奥に移動する。この出し入れのエルギーがスローピン（３）に伝えられる。
図２は鍵穴を正面から見た図でキーを入れる前は鍵穴をふさぐ板（１）が詰まっている。
図３はキー（２）を差し込み素早く３秒以内でキーを回転しスローピン（３）がシアライン（１０）にかからずロックが働かない様子である。
図４はスローイン（３）がシアライン（１０）を通過しロックがかかた様子を示したものである。
図５はスローピン（１）の働く位置を拡大し、スローピン（３）にエネルギー（５）が蓄えられ、働く前の位置を示したものである。
図６はスローピン（３）が働きシアライン（１０）を通過の様子を示したものである。
【図面の簡単な説明】
【００８】
【図１】キーを差し込む前のキーそして錠の断面
【図２】錠とキーを連結した時の断面
【図３】錠の正面図
【図４】スローピンがロックされない場合の断面図
【図５】スローピンがシアラインをオーバーしロックされた場合の断面
【図６】キーが差し込まれない時のスローピンの位置の拡大断面
【図７】キーが差し込まれ、スローピンがロックされたの位置の拡大断面
【符号の説明】
【００９】１、鍵穴をふさぐ板
２、キー
３、スローピン
４、エネルギー
５、エネルギー
６、鍵穴
７、内筒
８、外筒
９、バネ
１０、シアライン
１１、ピン
１２、鍵穴をふさぐ板の先端
【図１】
2017133340.tif 000003
【図２】
2017133340.tif 000004
【図３】
2017133340.tif 000005
【図４】
2017133340.tif 000006
【図５】
2017133340.tif 000007
【図５】
2017133340.tif 000008
【図６】
2017133340.tif 000009
【手続補正書】
【提出日】平成28年3月25日(2016.3.25)
【手続補正１】
【補正対象書類名】図面
【補正対象項目名】全図
【補正方法】変更
【補正の内容】
【図１】
2017133340.tif 000010
【図２】
2017133340.tif 000011
【図３】
2017133340.tif 000012
【図４】
2017133340.tif 000013
【図５】
2017133340.tif 000014
【図６】
2017133340.tif 000015
【図７】
2017133340.tif 000016